(57)【要約】  所定の波長の光（１２９）を出射する光源（１２１）と、前記光の発散度を変換するコリメートレンズ（１２３）と、光源（１２１）から出射された光の方向を折り曲げる折り曲げミラー（１２４）と、前記光を、光ディスク（２００）の記録面上に収束させる対物レンズ（１２６）と、前記光ディスクの記録面で反射された光を受光して電気信号に変換する光検出器（１２７）と、前記光源から出射された光を前記コリメートレンズ（１２３）に導くとともに、前記光ディスクの記録面反射された光を前記光検出器（１２７）へ導く光路調整部（１２２）を備える光ヘッド装置において、前記折り曲げミラー（１２４）と前記対物レンズ（１２６）との間に前記折り曲げミラーで反射された光を偏光する波長板（１２５）をアクチュエータベース（１０）に設けた。
2007099947.tif 000002
【特許請求の範囲】
【請求項１】
所定の波長の光を出射する光源と、
前記光源から出射した前記光の発散度を変更するコリメートレンズと、
前記コリメートレンズによって発散度を変更された前記光源から出射された光の方向を折り曲げる折り曲げミラーと、
前記折り曲げミラーで折り曲げられた前記光を、光ディスク記録面上に収束させる対物レンズと、
前記対物レンズによって前記光ディスクの記録面へ収束されさらに前記光ディスクの記録面反射された光を受光して電気信号に変換する光検出器と、
前記折り曲げミラーと前記対物レンズとの間に設けられ前記折り曲げミラーで反射された光を偏光する波長板と、
前記波長板を透過した光の偏光に応じて、前記光源から出射された光を前記コリメートレンズに導く一方、前記光ディスクの記録面で反射された光を前記光検出器へ導く光路調整部とを備え、
前記光源と前記コリメートレンズと前記折り曲げミラーと前記光検出器を保持する光学基台と、
前記光学基台に隣接して設けられ、前記折り曲げミラーで反射された光が透過する開口を覆うように前記波長板を保持するアクチュエータベースと、
前記アクチュエータベースに対して前記対物レンズの光軸方向及び前記光ディスクのトラック方向に移動可能に支持され、前記折り曲げミラーで反射された光を前記対物レンズに到達させるような位置に前記対物レンズを保持するサスペンションユニットを有する光ヘッド装置。
【請求項２】
前記光路調整部は、前記光源と前記コリメートレンズとの間に設けられ前記光源から出射した光を偏光させる偏光ビームスプリッタで構成され、
前記波長板は、前記折り曲げミラーで反射された光を円偏光に偏光するλ／４板で構成される、請求項１に記載の光ヘッド装置。
【請求項３】
前記アクチュエータベースは、前記光学基台側に突出して設けられ、前記波長板を固定する固定部を有する、請求項１に記載の光ヘッド装置。
【請求項４】
前記固定部は、前記波長板を前記アクチュエータベースに対して１から１０度の角度で傾斜するように固定する、請求項３に記載の光ヘッド装置。
【請求項５】
前記サスペンションユニットは、前記アクチュエータベースに固定されるサスホルダーと、前記対物レンズを保持し、前記サスホルダーから延在するサスペンションワイヤーによって支持されると共に、前記サスペンションワイヤーを介して供給される信号によって駆動する可動体を備える、請求項１に記載の光ヘッド装置。
【請求項６】
前記光源は、青色の波長領域において発光する半導体レーザである、請求項１に記載の光ヘッド装置。
【請求項７】
請求項１から６の記載のいずれか１つに記載の光ヘッド装置と、
光ディスクを回転するモータと、前記光ヘッド装置から得られる信号を受け、前記信号に基づいて前記モータ及び前記光ヘッド装置を制御および駆動する電気回路を具備する光情報装置。
【請求項８】
請求項７記載の光情報装置と、
情報を入力するための入力装置と、
前記入力装置から入力された情報や前記光情報装置から再生された情報に基づいて演算を行う演算装置と、
前記光情報装置で再生された情報や前記演算装置によって演算された結果を表示あるいは出力するための出力装置を備えたコンピュータ。
【請求項９】
請求項７記載の光情報装置と、
前記光情報装置から得られる情報信号を画像に変換する情報から画像へのデコーダを有する光ディスクプレーヤ。
【請求項１０】
請求項７記載の光情報装置と、
前記光情報装置から得られる情報信号を画像に変換する情報から画像へのデコーダを有するカーナビゲーションシステム。
【請求項１１】
請求項７記載の光情報装置と、
画像情報を前記光情報装置によって記録する情報に変換する画像から情報へのエンコーダーを有する光ディスクレコーダ。
【請求項１２】
請求項７記載の光情報装置と、
外部との情報の送受信を行う入出力端子を備えた光ディスクサーバ。
【発明の詳細な説明】
【技術分野】
【０００１】
光ディスクに代表される情報記録媒体から情報を再生し、または情報記録媒体に情報を記録する光情報装置および光情報装置において情報を再生または記録する光ヘッド装置および当該光ヘッド装置を用いた光情報装置並びに、光情報装置を用いた光ディスクプレーヤ、カーナビゲーションシステム、光ディスクレコーダ及び光ディスクサーバに関する。
【背景技術】
【０００２】
デジタルバーサタイルディスク（ＤＶＤ）は、デジタル情報をコンパクトディスク（ＣＤ)の約６倍の記録密度で記録することができることから、大容量のデータを記録可能な光ディスクとして知られている。近年、記録される情報量の増大に伴い、さらに容量の大きい光ディスクが求められている。光ディスクを大容量にするためには、情報の記録密度を高くする必要があり、当該高密度ディスクに情報を記録する際および光ディスクに記録された情報を再生する際に光ディスクに照射される光が形成する光スポットを小さくする必要がある。光スポットを小さくすることは、光源のレーザ光を短波長にし、かつ、対物レンズの開口数（ＮＡ）を大きくすることで実現できる。現在、ＤＶＤでは、波長６６０ｎｍの光源と、開口数（ＮＡ）０．６の対物レンズとが使用されているが、例えば、波長４０５ｎｍの青色レーザと、ＮＡ０．８５の対物レンズとを使用することによって、現在のＤＶＤの記録密度の５倍の記録密度を達成することができる。【０００３】
ところで、青色レーザによる短波長のレーザを用いて高密度の記録再生を実現する光情報装置において、既存の光ディスクとの互換機能を備えることはさらに装置としての有用性を高め、コストパフォーマンスの向上につながる。この場合、対物レンズの開口数を０．８５と高めつつ、作動距離をＤＶＤやＣＤ用の対物レンズのように長くすることは困難であるため、高密度の記録再生が可能な互換型光情報装置では、ＣＤまたはＤＶＤを記録再生するのに使われる対物レンズとこれより高開口数を有する高密度記録用の対物レンズとの２枚の対物レンズをそれぞれ備えることが望ましい。【０００４】
一般に、光情報装置用の対物レンズアクチュエータは、フォーカシング及びトラッキングの両方向に駆動させることが必要であり、このための回路が設けられている。この回路は、フォーカス方向には光ディスクと対物レンズとの間の間隔を一定の間隔に維持すると共に、トラッキング方向には対物レンズを所望のトラック位置に移動させる役割を果たす。ところが、前述の通り、記録密度が相異なる複数の光ディスクを互換採用する光情報装置では、相異なる記録密度を有する複数の光ディスクに各々対応する対物レンズを必要とするため、対物レンズアクチュエータは、複数の対物レンズを可動部に搭載してフォーカシング及びトラッキング方向に移動可能に構成されなければならない。【０００５】
記録密度が相異なる複数の光ディスクに対して記録再生が可能な互換型光情報装置を実現するために複数の対物レンズをそれぞれ可動部に搭載した光ヘッド装置が、特開２００２−２０８１７３号公報に開示されている。【０００６】
図１０は特開２００２−２０８１７３号公報に開示された光ヘッド装置の光学系の概略構成を示す図である。この光ヘッド装置では、第１の光源（図示せず）から放射された光ビーム６１は、コリメートレンズ６２によって略平行光に変換され、平板状の立ち上げミラー６３によって光軸を記録密度の高い光ディスク６５に対して直角の方向に折り曲げられる。対物レンズ６４は、光ビーム６１を光ディスク６５の記録面上に収束させる。また、第２の光源（図示せず）から放射された光ビーム６６は、コリメートレンズ６７によって略平行光に変換され、平板状の立ち上げミラー６８によって光軸を記録密度の低い光ディスク７０に対して直角の方向に折り曲げられる。対物レンズ７０は光ビーム６６を光ディスク７０の記録面上に収束させる。【０００７】
対物レンズ駆動装置（対物レンズアクチュエータ）７１は、第１の対物レンズ６４を保持するとともに、記録密度の高い光ディスク６５の記録面と直交するフォーカシング方向Ｆおよび光ディスクのトラッキング方向Ｔの両方向に移動可能に構成されている。また、対物レンズ駆動装置（対物レンズアクチュエータ）７２は、第２の対物レンズ６９を保持するとともに、記録密度の低い光ディスク６５の記録面と直交するフォーカシング方向Ｆおよび光ディスクのトラッキング方向Ｔの両方向に移動可能に構成されている。【０００８】
また、単一の対物レンズアクチュエータ上に２個の対物レンズを搭載し、２つの対物レンズを同時に移動させる構成が特開平１１−１２０５８７号公報や特開２００５−２９３６８６号公報に開示されている。【０００９】
この装置は、図１１に示すように、ＣＤ，ＤＶＤ用光学系と、高密度光ディスク用光学系を有している。ＣＤ，ＤＶＤ用光学系は、ＤＶＤに対して情報の記録／再生を行う場合に発光され６５８ｎｍのレーザ光束（第２光束）を射出する赤色半導体レーザ（第２光源）と光検出器とが一体化されたＤＶＤ用モジュール８５、ＣＤに対して情報の記録／再生を行う場合に発光され７８５ｎｍのレーザ光束（第３光束）を射出する赤外半導体レーザ（第３光源）と光検出器とが一体化されたＣＤ用モジュール８３を備える。これらのモジュール８３、８５から出射された光は、それぞれＤＶＤ用コリメートレンズ８６、ＣＤ用コリメートレンズ８４を通して偏光ビームスプリッタ８９、８７で光路が曲げられ、立ち上げミラー８８に到達する。そして、ＤＶＤ／ＣＤ共用の第２対物レンズ８１から光を光ディスク（図示なし）に送る。当該光ディスクの記録面で反射した光は、同じ光路を通ってＤＶＤ用モジュール８５やＣＤ用モジュール８３に到達する。【００１０】
一方、高密度光ディスク用光学系では、青紫色半導体レーザ７３（第１光源）は高密度光ディスクに対して情報の記録／再生を行う４０５ｎｍのレーザ光束（第１光束）を射出する。当該レーザ光束（第１光束）は、高密度光ディスク用コリメートレンズ７４、高密度光ディスク用偏光ビームスプリッタ７５によって光路が曲げられて立ち上げミラー８８に到達する。そして、高密度光ディスク用の第１対物レンズ８０から光を光ディスク（図示なし）に送る。当該光ディスクの記録面で反射した光は偏光ビームスプリッタ７５を透過して高密度光ディスク用の光検出器７６に到達させる。【００１１】
また、上記２つの対物レンズ８０，８１を保持する保持部材７９はワイヤー８２で保持されており、記録面と直交するフォーカシング方向Ｆおよび光ディスクのトラッキング方向Ｔの両方向に移動可能に構成されている。
【特許文献１】特開２００２−２０８１７３号公報
【特許文献２】特開平１１−１２０５８７号公報
【特許文献３】特開２００５−２９３６８６号公報
【発明の開示】
【発明が解決しようとする課題】
【００１２】
しかし、このように単一の光ヘッド装置に複数の光源と対物レンズを備えた構成においては、数多くの部材を小さな装置内に組み込む必要があり、いかにコンパクトに各部材を配置するかが重要である。また、特に、次世代の高密度光ディスクにおいては、記録層が３層、４層に構成される可能性もあり、当該多層構造の光ディスクを高精度に読み取るためには、広範囲に球面収差補正、コマ収差補正を行うようにすることが求められる。したがって、コリメートレンズの補正幅を大きくすることが望ましい。【００１３】
しかし、上記構成においては、コリメートレンズを光源と変更ビームスプリッタの間に搭載しているため搭載スペースが小さく、コリメートレンズの移動幅が制限されていた。また、一方、コリメートレンズの移動幅を大きく確保しようとすると光ヘッド装置自体の大型化を招くという問題があった。【００１４】
また、高密度光ディスク用光学系においては、光源と光検出器７６とがユニット化されずに、異なる位置に配置されているため、光源から出射された往路光と、光ディスクの記録面で反射された復路光とで光路を異ならせる必要がある。このため、図１２に示すように、立ち上げミラー８８とコリメートレンズ７４との間に、波長板７７を挿入する構成がとられている。そして、この構成では、波長板７７のために、コリメートレンズ７４の収納スペースがさらに小さくなり、コリメートレンズ７４の移動幅はさらに制限されることとなる。【００１５】
したがって、本発明が解決しようとする技術的課題は、上記問題を解消すべく、コリメートレンズの移動幅を大きくして球面収差補正を高精度に行うことができる小型の光ヘッド装置及び光情報装置並びに光情報装置を用いた光ディスクプレーヤ、カーナビゲーションシステム、光ディスクレコーダ及び光ディスクサーバを提供することである。【００１６】
本発明は、上記技術的課題を解決するために、以下の構成の光ヘッド装置を提供する。
【課題を解決するための手段】
【００１７】
本発明は、上記目的を達成するため、以下のように構成している。本発明の第１態様によれば、所定の波長の光を出射する光源と、
前記光源から出射した前記光の発散度を変更するコリメートレンズと、
前記コリメートレンズによって発散度を変更された前記光源から出射された光の方向を折り曲げる折り曲げミラーと、
前記折り曲げミラーで折り曲げられた前記光を、光ディスク記録面上に収束させる対物レンズと、
前記対物レンズによって前記光ディスクの記録面へ収束されさらに前記光ディスクの記録面反射された光を受光して電気信号に変換する光検出器と、
前記折り曲げミラーと前記対物レンズとの間に設けられ前記折り曲げミラーで反射された光を偏光する波長板と、
前記波長板を透過した光の偏光に応じて、前記光源から出射された光を前記コリメートレンズに導く一方、前記光ディスクの記録面で反射された光を前記光検出器へ導く光路調整部とを備え、
前記光源と前記コリメートレンズと前記折り曲げミラーと前記光検出器を保持する光学基台と、
前記光学基台に隣接して設けられ、前記折り曲げミラーで反射された光が透過する開口を覆うように前記波長板を保持するアクチュエータベースと、
前記アクチュエータベースに対して前記対物レンズの光軸方向及び前記光ディスクのトラック方向に移動可能に支持され、前記折り曲げミラーで反射された光を前記対物レンズに到達させるような位置に前記対物レンズを保持するサスペンションユニットを有する光ヘッド装置を提供する。【００１８】
本発明の第２態様によれば、前記光路調整部は、前記光源と前記コリメートレンズとの間に設けられ前記光源から出射した光を偏光させる偏光ビームスプリッタで構成され、
前記波長板は、前記折り曲げミラーで反射された光を円偏光に偏光するλ／４板で構成される、第１態様の光ヘッド装置を提供する。【００１９】
本発明の第３態様によれば、前記アクチュエータベースは、前記光学基台側に突出して設けられ、前記波長板を固定する固定部を有する、第１態様の光ヘッド装置を提供する。【００２０】
本発明の第４態様によれば、前記固定部は、前記波長板を前記アクチュエータベースに対して１から１０度の角度で傾斜するように固定する、第３態様の光ヘッド装置を提供する。【００２１】
本発明の第５態様によれば、前記サスペンションユニットは、前記アクチュエータベースに固定されるサスホルダーと、前記対物レンズを保持し、前記サスホルダーから延在するサスペンションワイヤーによって支持されると共に、前記サスペンションワイヤーを介して供給される信号によって駆動する可動体を備える、第１態様の光ヘッド装置を提供する。【００２２】
本発明の第６態様によれば、前記光源は、青色の波長領域において発光する半導体レーザである、第１態様の光ヘッド装置を提供する。【００２３】
本発明の第７態様によれば、第１から第６態様のいずれか１つの光ヘッド装置と、
光ディスクを回転するモータと、前記光ヘッド装置から得られる信号を受け、前記信号に基づいて前記モータ及び前記光ヘッド装置を制御および駆動する電気回路を具備する光情報装置を提供する。【００２４】
本発明の第８態様によれば、第７態様の光情報装置と、
情報を入力するための入力装置と、
前記入力装置から入力された情報や前記光情報装置から再生された情報に基づいて演算を行う演算装置と、
前記光情報装置で再生された情報や前記演算装置によって演算された結果を表示あるいは出力するための出力装置を備えたコンピュータを提供する。【００２５】
本発明の第９態様によれば、第７態様の光情報装置と、
前記光情報装置から得られる情報信号を画像に変換する情報から画像へのデコーダを有する光ディスクプレーヤを提供する。【００２６】
本発明の第１０態様によれば、第７態様の光情報装置と、
前記光情報装置から得られる情報信号を画像に変換する情報から画像へのデコーダを有するカーナビゲーションシステムを提供する。【００２７】
本発明の第１１態様によれば、第７態様の光情報装置と、
画像情報を前記光情報装置によって記録する情報に変換する画像から情報へのエンコーダーを有する光ディスクレコーダを提供する。【００２８】
本発明の第１２態様によれば、第７態様の光情報装置と、
外部との情報の送受信を行う入出力端子を備えた光ディスクサーバを提供する。
【発明の効果】
【００２９】
本発明の第１態様によれば、波長板を折り曲げミラーと対物レンズとの間に配置することにより、光路調整部から折り曲げミラーの間に他の部材が存在しなくなるため、コリメートレンズの移動幅を最大で折り曲げミラーと対物レンズとの間隔全域にわたって広げることができる。したがって、光ヘッド装置の構成を大きくすることなく球面収差補正を高精度に行うようにすることができる。【００３０】
また、波長板をアクチュエータベースに保持させることにより光学基台を小さくすることができる。また、可動体に波長板が設けられていないため波長板が固定されており、可動体の動きによって波長板が光ビームに影響を及ぼすことがない。【００３１】
本発明の第２態様によれば、光源から出射された光を確実に光ディスクに到達させることができるとともに、光ディスクの記録面で反射された光を簡単な構成で光検出器に導くことができる。【００３２】
本発明の第３態様によれば、可動体を光ディスクの記録面と直交するフォーカシング方向へ移動させる場合に、波長板が可動体の動き幅に影響を及ぼすことがなく、可動体の移動幅を大きく確保することができる。【００３３】
本発明の第４態様によれば、波長板の表面で折り曲げミラーで反射された光の一部が反射され、光源から出射した光と同じ光路を通るために、情報の読み取りに影響を及ぼす可能性がある。したがって、波長板を傾けることでこの問題を防止することができる。また、傾きが１０度以上になると、対物レンズと折り曲げミラーとの間の間隔を長くすることが必要となる。また、１度より小さくなると対物レンズのスキュー調整時にアクチュエータベースを光学基台に固定する場合の傾きの範囲内になる。その結果、波長板が光路と直交して配置される可能性がある。【００３４】
本発明の第５態様によれば、可動体をサスペンションワイヤーによって支持することとしているため、当該サスペンションワイヤーを介して、可動体を駆動させるための信号を供給することができ、可動体の移動制御と支持とに必要な部材を共有化することができる。【００３５】
本発明の第６態様によれば、青色のレーザ光を用いて情報の読み書きを行う次世代の光ディスクに用いられるヘッド装置として好適に用いられる。この光ディスクは、光スポットがより小さく高密度に形成されるとともに記録面を複数層備える。よって、当該光ディスクに用いた場合であっても、コリメートレンズの移動幅を大きくすることができ、球面収差をより広い範囲で補正することができる。【００３６】
また、第７態様の光情報装置は、コンピュータ、光ディスクプレーヤ、カーナビゲーションシステム、光ディスクレコーダ、光ディスクサーバなどの種々の装置に好適に用いることができる。
【図面の簡単な説明】
【００３７】
本発明のこれらと他の目的と特徴は、添付された図面についての好ましい実施形態に関連した次の記述から明らかになる。この図面においては、
【図１】図１は、本発明の実施の形態にかかる光ピックアップの外観構成を示す斜視図であり、
【図２】図２は、図１の光ピックアップの分解斜視図であり、
【図３】図３は、図１の光ヘッド装置の光学系の構成を模式的に示す概略図であり、
【図４】図４は、図１の光ヘッド装置に用いられる光学基台の内部構成を示す図であり、
【図５Ａ】図５Ａは、図１の光ヘッド装置の対物レンズアクチュエータの構成を示す平面図であり、
【図５Ｂ】図５Ｂは、図５Ａの線VB-VBにおける断面図であり、
【図５Ｃ】図５Ｃは、図１の光ヘッド装置の対物レンズアクチュエータの構成を示す斜視図であり、
【図５Ｄ】図５Ｄは、図５Ｃのλ／４波長板１２５を外した状態の図であり、
【図６】図６は、図５Ａの対物レンズアクチュエータの分解斜視図であり、
【図７Ａ】図７Ａは、図１の光ヘッド装置を用いた光情報装置の概略構成を示す斜視図であり、
【図７Ｂ】図７Ｂは、図７Ａの光情報装置において光ヘッド装置を駆動させる機構を示す概略図であり、
【図７Ｃ】図７Ｃは、図７Ａの光情報装置の駆動系の概略構成を示すブロック図であり、
【図８】図８は、図７Ａの光情報装置を搭載したコンピュータの構成を示す概略図であり、
【図９Ａ】図９Ａは、図７Ａに示す光情報装置を搭載した光ディスクプレーヤの概略構成を示す図であり、
【図９Ｂ】図９Ｂは、図７Ａに示す光情報装置を搭載した光ディスクレコーダの概略構成を示す図であり、
【図１０】図１０は、従来の光ヘッド装置の光学系の概略構成を示す図であり、
【図１１】図１１は、従来の他の例の光ヘッド装置の光学系の概略構成を示す図であり、
【図１２】図１２は、図１１の光ヘッド装置の光学系の構成要素のみの概略構成を示す模式図である。
【符号の説明】
【００３８】
１０  アクチュエータベース
１１  サスペンションユニット
１２  開口
１３  ベース板
１４  マグネット部
１５  マグネット支持部
１５ａ、１５ｂ  固定部
２０  サスホルダー
２２  サスペンションワイヤー
３０  可動体
３２  コイル
３３ａ，３３ｂ  鏡胴
３４  ホログラム素子
３５  対物レンズホルダ
１００  光ヘッド装置
１０１  光学基台
１１０  ガイドレール
１１１  係合部
１２０  第１の光学系
１２１  第１の光源
１２２  偏光ビームスプリッタ
１２３  コリメートレンズ
１２４  立ち上げプリズム
１２５  λ／４波長板
１２６  対物レンズ
１２７  光検出器
１２８  駆動モータ
１２９  光ビーム
１４０  第２の光学系
１４１  第２レーザーユニット
１４２  第３レーザーユニット
１４３  コリメートレンズ
１４４  対物レンズ
１４５  ハーフミラー
１４８、１４９  光ビーム
１６４  スピンドルモータ
２００，２０１，２０２  光ディスク
【発明を実施するための最良の形態】
【００３９】
本発明の記述を続ける前に、添付図面において同じ部品については同じ参照符号を付している。以下、本発明の一実施形態に係る光ヘッド装置について、図面を参照しながら説明する。まず光ヘッド装置の構成を図１及び図２を用いて説明する。【００４０】
まず、光ヘッド装置の構成を説明する前に、本光ヘッド装置における座標軸の定義を明確にする。Ｔ軸は、対物レンズの光軸に対して垂直であり、かつ、光ディスクのトラック溝延伸方向に対して略垂直な方向であり、光ディスクの内周、外周を記録再生する際に光ヘッド装置を動かす方向（トラッキング方向）である。Ｆ軸は、対物レンズの光軸方向すなわちフォーカシング方向である。また、Ｙ軸はＴ軸に垂直な方向であり、また、対物レンズの位置において、光ディスクのトラック溝延伸方向に対して略平行な方向である。【００４１】
図１は、本発明の実施の形態にかかる光ピックアップの外観構成を示す斜視図、図２は図１の光ピックアップの分解斜視図である。光ヘッド装置１００は、光学基台１０１と、光学基台１０１の図示上方に固着される対物レンズアクチュエータ１０２を備える。光学基台１０１は、Ｙ軸方向両端に位置する係合部１１１によって、１組のガイドレール１１０に係合しており、ガイドレール１１０に沿ってトラッキング方向に移動可能に構成されている。【００４２】
図３は、図１の光ヘッド装置の光学系の構成を模式的に示す概略図である。図４は図１の光ヘッド装置に用いられる光学基台の内部構成を示す図である。光ヘッド装置の光学系を構成する各部材は、光学基台１０１及び対物レンズアクチュエータ１０２に搭載される。【００４３】
本実施形態にかかる光ヘッド装置１００は、第１光学系１２０と第２光学系１４０とを備える。第１光学系１２０は、Ｂｌｕ−ｒａｙディスクやＨＤ−ＤＶＤなどの次世代光ディスク２００の読み書きを行うための光学系であり、第２光学系１４０は、ＤＶＤ２０１，ＣＤ２０２の読み書きを行うための光学系である。【００４４】
まず、第１の光学系１２０について説明する。第１の光学系１２０においては、第１の光源１２１は、例えば、波長４０５ｎｍの光ビーム１２９を発する。第１の光源１２１から射出された光ビーム１２９は、偏光ビームスプリッタ１２２で光路が曲げられてコリメートレンズ１２３に到達する。偏光ビームスプリッタ１２２を透過した光ビーム１２９は直線偏光であり、コリメートレンズ１２３によって発散度が変換される。当該光ビームは、折り曲げミラーの一例としての断面が略３角形の立ち上げプリズム１２４の第１斜面１２４ａによって光軸を記録密度の高い光ディスク２００に対して直角の方向に折り曲げられる。立ち上げプリズム１２４で折り曲げられた光ビームは、波長板の一例であるλ／４波長板１２５を通過することで円偏光になる。その後、対物レンズ１２６で光ビーム１２９を光ディスク２００の記録面上に収束させ、光スポットを形成する。【００４５】
光ディスク２００に到達した第１の光ビームは、記録層の状態に応じた反射率で光ディスク２００の記録層において反射される。光ディスク２００の記録層で反射した第１の光ビームは、再度対物レンズ１２６を透過し、λ／４波長板１２５へ到達する。λ／４波長板１２５へ到達した光ビームは、λ／４波長板１２５を通過する際に往路（すなわち、コリメートレンズ１２３から立ち上げプリズム１２４に出射される光ビームの直線偏光）と直交する直線偏光に変換される。その後、コリメートレンズ１２３を透過し、立ち上げプリズム１２４の第１反射面１２４ａで偏光ビームスプリッタ１２２へと反射される。この光ビームは、往路の光ビームと比較して変更方向が異なっているため、偏光ビームスプリッタ１２２で反射され、光検出器１２７に入射する。光検出器１２７において、光検出器１２７によって光電変換され、情報信号、サーボ信号（焦点制御のためのフォーカスエラー信号や、トラッキング制御のためのトラッキング信号）を得るための電気信号が取り出される。【００４６】
第１光学系１２０に用いられる対物レンズ１２６はＮＡ０．８５またはより大きな開口数である。開口数が大きいので、光ディスク２００に対して記録あるいは再生を行う場合、光ディスクに光が入射する面から情報記録面までを満たす透明基材の厚みに対して球面収差が顕著に発生する。本実施形態ではコリメートレンズ１２３をコリメートレンズ１２３の光軸方向へ移動することによりコリメートレンズ１２３から対物レンズ１２６へと向かう光の発散収束度を変化させる。対物レンズ１２６に入射する光の発散収束度が変化すると球面収差が変化するのでこれを利用して基材厚差に起因する球面収差を補正する。光学基台１０１は、コリメートレンズ１２３をコリメートレンズ１２３の光軸方向へ移動するための機構として駆動モータ１２８を有する駆動装置を備える。駆動モータ１２８は、具体的にはステッピングモータやブラシレスモータなどを用いることができる。図４に示すように、コリメートレンズ１２３を保持するホルダ１２３ａと、駆動モータ１２８の駆動力をホルダ１２３ａへ伝える駆動機構１２３ｂが光学基台１０１に設けられている。コリメートレンズ１２３を保持するホルダ１２３ａは、コリメートレンズの光軸方向に延在する２本の案内軸１１５によって支持されており、当該案内軸１１５に沿ってコリメートレンズが移動する。案内軸１１５に沿って移動する際にがたつきを少なくするため、ホルダ１２３ａはスプリングによって付勢された状態で案内軸１１５に支持される。なお、部品点数の削減を図るため、レンズホルダ１２３ａをコリメートレンズ１２３と一体成型により構成してもよい。【００４７】
なお、コリメートレンズ１２３の変形例としては、凹レンズ及び凸レンズを備えた２枚のレンズを組み合わせてもよい。なお、球面収差を補正するためにコリメートレンズ１２３をその光軸方向に動かす際には、コリメートレンズ１２３を２枚のレンズで構成する場合は、２枚のうちの１枚だけを移動するように構成されていてもよい。【００４８】
次に第２の光学系１４０について説明する。第２の光学系１４０においては、第２の光源（例えば赤色光源）として第２レーザーユニット１４１が用いられている。第２レーザーユニット１４１は、レーザ光を発光する光源とレーザ光の検出をする光検出器とが一体的に構成された部材である。第２レーザーユニット１４１から放射された光ビーム１４８はハーフミラー１４５に到達する。光ビーム１４８はハーフミラー１４５によって折り曲げられ、コリメートレンズ１４３によって平行度が変換（例えば略平行光へ）され、立ち上げプリズム１２４へ導かれる。立ち上げプリズム１２４は、第２斜面１２４ｂによって光軸を記録密度の低い光ディスク２０１（例えばＤＶＤ）に対して直角の方向に折り曲げる。対物レンズ１４４は光ビーム１４８を光ディスク２０１の記録面上に収束させ、光スポットを形成する。記録層の状態に応じた反射率で光ディスク２０１の記録面で反射された光ビームは、元の光路を逆にたどり、光検出器である第２レーザーユニット１４１に到達する。光ビーム１４８は第２レーザーユニット１４１によって光電変換され、情報信号、サーボ信号（焦点制御のためのフォーカスエラー信号や、トラッキング制御のためのトラッキング信号）を得るための電気信号を得る。本実施形態においては、光源と光検出器の集積した第２レーザーユニット１４１を用いているため、光ヘッド装置の小型、薄型化を実現でき、安定性を得ることができる。【００４９】
また、さらに上記２種の光ディスクよりも記録密度の低い第３の光ディスク２０２（例えばコンパクトディスク：ＣＤ）の再生または記録を行うためには、第３の光源（例えば赤色光源）である第３レーザーユニット１４２を備えている。第３レーザーユニット１４２は、レーザ光を発光する光源とレーザ光の検出をする光検出器とが一体的に構成された部材である。第３レーザーユニット１４２から放射された光ビーム１４９は、ハーフミラー１４５を透過し、コリメートレンズ１４３によって平行度が変換（例えば略平行光へ）され、立ち上げプリズム１２４へ導かれる。立ち上げプリズム１２４は、第１の光ビームを反射した面とは別の面によって光軸を記録密度の低い光ディスク２０２（例えばＣＤ）に対して直角の方向に折り曲げる。対物レンズ１４４は光ビーム１４８を光ディスク２０１の記録面上に収束させ、光スポットを形成する。記録層の状態に応じた反射率で光ディスク２０２の記録面で反射された光ビームは、光ビームは元の光路を逆にたどり、光検出器である第３レーザーユニット１４２に到達する。光ビーム１４９は第３レーザーユニット１４２によって光電変換され、情報信号、サーボ信号（焦点制御のためのフォーカスエラー信号や、トラッキング制御のためのトラッキング信号）を得るための電気信号を得る。本実施形態においては、光源と光検出器の集積した第３レーザーユニット１４２を用いているため、光ヘッド装置の小型、薄型化を実現でき、安定性を得ることができる。【００５０】
上記のように第１の光学系１２０では、レーザ光を発光する光源１２１と光ディスク２００によって反射されたレーザ光を検出するための光検出器１２７が別部材で構成されているため、偏光ビームスプリッタ１２２によって往路及び復路で光路を異ならせなければならない。このためのレーザ光の光路を変更する部材としてλ／４波長板１２５が設けられており、当該λ／４波長板１２５を通過する際にレーザ光の偏光が変更することによって光路を異ならせることができる。これに対して、第２の光学系では、光ディスク２０１，２０２用にそれぞれ設けられたレーザ光を発光する光源と光ディスク２０１，２０２によって反射されたレーザ光を検出するための検出器はともにユニット化され、それぞれ第２レーザーユニット１４１及び第３レーザーユニット１４２として１つの部材で構成されている。このため往路及び復路において光路を異ならせる必要がなく、このため、往路及び復路でレーザ光の偏光を変更する必要がない。したがって、第２の光学系１４０には、λ／４波長板を設ける必要がない。【００５１】
なお、図３，図４においては、立ち上げプリズム１２４の断面は３角形であるが、頂点（プリズム全体としてみれば稜線）を面取りして、チッピング（欠け）を防止してもよい。この場合を含め、断面は略３角形と表記する。【００５２】
本実施形態において、第１及び第２の光学系１２０，１４０を構成する各部材のうち、対物レンズ１２６，１４４及びλ／４波長板１２５は、対物レンズアクチュエータ１０２に設けられている。一方、対物レンズ１２６，１４４及びλ／４波長板１２５を除くその他の部材は、光学基台１０１に配置されている。【００５３】
対物レンズアクチュエータ１０２は、図５Ａ，図５Ｂ、図５Ｃ，図５Ｄ及び図６に示すように、アクチュエータベース１０とサスペンションユニット１１とを備えている。【００５４】
アクチュエータベース１０は、立ち上げプリズム１２４によってＦ軸方向へ反射されたレーザ光が透過するための開口１２を有するベース板１３に、開口１２を挟んでＹ軸方向に対向するように平行に配置された一対のマグネット部１４を有する。マグネット部１４は、ベース板１３に立設されたマグネット支持部１５とマグネット支持部１５に対してそれぞれ開口１２側の面に配置されたマグネット１６を備えている。一対のマグネット部１４の間には、サスペンションユニット１１の可動体３０が配置され、後述するように可動体３０のコイル３２に電流が供給されることにより、サスペンションユニット１１の可動体３０の位置調整を行うことができる。【００５５】
また、ベース板１３には、λ／４波長板１２５を保持する固定部１５ａ，１５ｂが設けられている。固定部１５ａ、１５ｂは、上記のように第１の光学系１２０にのみλ／４波長板１２５が設けられるようにベース板１３の開口１２の一部分の表面を覆うようにλ／４波長板１２５を保持する。また、固定部１５ａ，１５ｂは、λ／４波長板１２５をアクチュエータベース１０の光学基台１０１側の表面から立ち上げプリズム１２４側に突出するように保持する。【００５６】
固定部１５ａ，１５ｂは、図５Ｃ，図５Ｄに示すように、ベース板１３の開口１２の縁部の３箇所に設けられた鉤爪形状の部材であり、λ／４波長板１２５を３方から保持する。また、固定部１５ａ，１５ｂには、λ／４波長板１２５を載置するための載置部１５１が設けられており、当該載置部１５１にλ／４波長板１２５を載置させることで、λ／４波長板１２５の取り付けの向きを固定することができる。【００５７】
λ／４波長板１２５は、アクチュエータベース１０のベース板１３表面に対し、１度から１０度、好ましくは２度から６度の傾斜角度θを持つように固定される。本実施形態では、傾斜角度θは３度に構成されている。本実施形態においては、開口１２の縁部の３方に設けられた鉤爪形状固定部１５ａ，１５ｂを用いることにより、λ／４波長板１２５を保持する構成を採用しており、λ／４波長板１２５の角度精度を向上させることができる。【００５８】
λ／４波長板１２５に傾斜を持たせて固定しているのは次の理由による。立ち上げプリズム１２４で反射された光の一部が、光ディスク２００に到達することなくλ／４波長板１２５の表面で反射され、光検出器１２７に到達すると、光検出器１２７での情報の読み取りに影響を及ぼす。したがって、波長板を傾けることで、λ／４波長板１２５の表面で反射された光が光検出器１２７に到達しないようにすることができ、この問題を防止することができる。また、傾きが１０度以上になると、λ／４波長板１２５を配置するための光路方向のスペースを大きくとることが必要となり、対物レンズと立ち上げプリズム１２４との間の間隔が長くなる。その結果、対物レンズアクチュエータ１０２がＦ軸方向に大きくなる。一方、１度より小さくなると対物レンズ１２６，１４４のスキュー調整時に対物レンズアクチュエータ１０２を光学基台１０１に固定する場合の傾きの範囲内になる。その結果、波長板１２５が光路と直交する方向に配置される可能性があり、この場合に上記の問題を生じる可能性がある。【００５９】
本実施形態においては、λ／４波長板１２５が対物レンズアクチュエータ１０２に設けられており、偏光ビームスプリッタ１２２と立ち上げプリズム１２４の間に設けられていないため、偏光ビームスプリッタ１２２と立ち上げプリズム１２４の間間隔の領域全てをコリメートレンズ１２３の移動領域として用いることができる。したがって、光ピックアップ装置自体を大型化することなくコリメートレンズ１２３の移動幅を大きくすることができ、結果として、球面収差の補正幅を大きくすることができる。【００６０】
サスペンションユニット１１は、アクチュエータベース１０に対して移動可能に構成された可動体３０と、当該可動体を移動可能に支持するサスホルダー２０を有する。可動体３０は、サスホルダー２０から延在する６本のサスペンションワイヤー２２によって支持されており、サスホルダー２０に対して６本のサスペンションワイヤー２２が撓む方向、すなわち、６本のサスペンションワイヤー２２の延在方向に直交する方向に移動可能である。サスペンションユニット１１は、可動体３０がマグネット１６の間に位置し、サスホルダー２０がマグネット部１４に対して外側に位置するようにアクチュエータベース１０に組み付けられる。【００６１】
可動体３０は、Ｆ方向に延在する２つの鏡胴３３ａ，３３ｂを備える。サスペンションユニット１１がアクチュエータベース１０に組み付けられたとき、可動部３０の鏡胴３３ａは、波長板１２５の上方に位置する。第１の光学系１２０の鏡胴３３ａには対物レンズ１２６が、第２の光学系１４０の鏡胴３３ｂには対物レンズ１４４がそれぞれ設けられている。また、第２の光学系１４０の鏡胴３３ｂ内には、ホログラム素子３４が設けられており、第２の光学系１４０の光ディスクに反射したレーザ光の一部を回折することによって分割し、フォーカスエラー信号またはトラッキングエラー信号を生成する。【００６２】
なお、第２の光学系１４０用の対物レンズ１４４は、図５Ｂに示すように対物レンズホルダ３５に固定された状態で可動体３０に固定されている。対物レンズホルダ３５は、鏡胴３３ｂ側の面がテーパー状に構成されており、鏡胴３３ｂへの固定時において取り付け角度を調整することができるようになっている。なお、対物レンズ１４４と可動体３０の固定方向を調整することができるように構成されているのは、次の理由によるものである。可動体３０に２つの対物レンズ１２６，１４４を固定する場合、２つの光学系１２０，１４０でそれぞれ対物レンズ１２６，１４４の光軸方向の微調整が必要なる。このため、本実施形態においては、第１の光学系１２０用の対物レンズ１２６を基準とする一方、第２の光学系１４０用の対物レンズ１４４を微調整することで、双方の光学系の微調整をすることができる。【００６３】
第１の光学系１２０の対物レンズ１２６と第２の光学系の対物レンズ１４４はＹ方向つまり光ディスクのトラック溝の延伸方向に略平行に並べられた状態で可動体３０に保持される。２つの対物レンズをトラック溝の延伸方向と直角方向に並べると、光ディスクの最外周や最内周へ移動したときに使っていない内側の対物レンズが光ディスク２００，２０１，２０２を回転させるスピンドルモータ１６４（図７Ａ参照）や外側のレンズが機器の外装に干渉する恐れがある。Ｙ方向に対物レンズ１２６と１４４を並べることにより、光ディスクを回転させるモータなどに光ヘッド装置がぶつかることなく異種ディスクの互換が可能である。【００６４】
また、可動体３０には、サスペンションユニット１１がアクチュエータベース１０に組み付けられたとき、マグネット１６に対向する面に可動体３０の位置の調整を行うための３つのコイル３２が設けられている。すなわち、アクチュエータベース１０に設けられたマグネット部１４のマグネットとサスペンションユニット１１に設けられたコイル３２とが対向配置されているため、当該コイルに電流を流すことで、可動体３０を移動させることができる。【００６５】
コイル３２に供給される電力は、サスペンションワイヤー２２を介して行われる。コイル３２は、フォーカシング方向（光ディスクの面に垂直な方向）用のコイル３２ａと、トラッキング方向（ディスクの半径方向）用のコイル３２ｂが設けられており、当該コイル３２にサスペンションワイヤー２２を介して電流を供給することでフォーカシング方向及びトラッキング方向位置の微調整を行なうことができる。【００６６】
なお、光ビーム１２９と、光ビーム１４８あるいは光ビーム１４９が立ち上げプリズム１２４へ入射する光軸は互いに平行であることが望ましい。このように構成することによって、立ち上げプリズム１２４の２つの反射面１２４ａ，１２４ｂを対称に構成して対物レンズへの入射角度を対物レンズの光軸と平行にすることができる。立ち上げプリズム１２４の２つの反射面を対称に構成できるので、立ち上げプリズム１２４の作成がより容易になり、低コストで作成することができる。【００６７】
次に図１の光ヘッド装置を用いた光情報装置の一例について説明する。図７Ａは、図１の光ヘッド装置を用いた光情報装置の概略構成を示す斜視図である。図７Ｂは、図７Ａの光情報装置において光ヘッド装置を駆動させる機構を示す概略図、図７Ｃは、図７Ａの光情報装置の駆動系の概略構成を示すブロック図である。【００６８】
光情報装置１５０は、光ヘッド装置１００を図７Ａに示すように光ディスクのトラッキング方向へ移動可能に搭載される。光ヘッド装置１００は、図７Ｂに示すように、光ディスクのトラッキング方向へ延在して配置される２本のガイドレール１１０によって支持されており、また、片側のガイドレール１１０に平行に設けられたリードスクリュー１１３に連接する。リードスクリュー１１３は、モータ１１２によって軸中心に回転することができ、当該リードスクリュー１１３の回転によって光ヘッド装置１００がトラッキング方向へ移動する。【００６９】
図７Ａ，図７Ｂ，図７Ｃにおいて光ディスク２００，２０１，２０２は、ターンテーブル１６２に載置され、モータ１６４によって回転される。図１の光ヘッド装置１００は、前記光ディスクの所望の情報の存在するトラックの位置まで粗動される。【００７０】
光ヘッド装置１００は、また、光ディスク２００，２０１，２０２との位置関係に対応して、フォーカスエラー（焦点誤差）信号やトラッキングエラー信号を電気回路１６６へ送る。電気回路１６６はこの信号に対応して、光ヘッド装置１００へ、対物レンズ１２６，１４４を微動させるためにレンズアクチュエータを駆動させる信号を送る。この信号によって、光ヘッド装置１００は、光ディスク２００，２０１，２０２に対してフォーカス制御と、トラッキング制御を行い、光ヘッド装置１００によって、情報の読みだし、または書き込み（記録）や消去を行う。【００７１】
光情報装置は、光ヘッド装置として、図１の光ヘッド装置を用いるので、単一の光ヘッド装置によって、記録密度の異なる複数の光ディスクに対応することができる。【００７２】
図７Ａに記した光情報装置１５０は、種々の装置に搭載することができる。図７Ａの光情報装置を搭載したコンピュータや、光ディスクプレーヤ、光ディスクレコーダは、異なる種類の光ディスクを安定に記録あるいは再生できるので、広い用途に使用することができる。図８は、図７Ａの光情報装置を搭載したコンピュータの構成を示す概略図である。【００７３】
図８において、図７Ａの光情報装置１５０と、情報の入力を行うためのキーボードあるいはマウス、タッチパネルなどの入力装置１７１と、入力装置１７１から入力された情報や、光情報装置１５０から読み出した情報などに基づいて演算を行う中央演算装置（ＣＰＵ）などの演算装置１７２と、前記演算装置によって演算された結果などの情報を表示するブラウン管や液晶表示装置、プリンタなどの出力装置１７３を備えたコンピュータ１７０を構成する。【００７４】
また、コンピュータ１７０は、光情報装置１５０に記録する情報を取り込んだり、光情報装置１５０によって読み出した情報を外部に出力する有線または無線の入出力端子を搭載してもよい。これによって、ネットワーク、すなわち、複数の機器、例えば、コンピュータ、電話、テレビチューナ、などと情報を送受信し、これら複数の機器から共有の情報サーバ（光ディスクサーバ）、として利用することが可能となる。異なる種類の光ディスクを安定に記録あるいは再生できるので、広い用途に使用できる効果を有する。【００７５】
さらに、複数の光ディスクを光情報装置１５０に出し入れするチェンジャー３３１を具備することにより、多くの情報を記録・蓄積できる効果を得ることができる。【００７６】
また、図９Ａに図７Ａに示す光情報装置を搭載した光ディスクプレーヤの概略構成を示す。図９Ａにおいて、図７Ａの光情報装置１５０と、前記光情報装置から得られる情報信号を画像に変換する情報から画像への変換装置（例えばデコーダー１８１）を有する光ディスクプレーヤ１８０を構成する。また、本構成はカーナビゲーションシステムとしても利用できる。また、液晶モニターなどの表示装置１８２を加えた構成としてもよい。【００７７】
図９Ｂに図７Ａに示す光情報装置を搭載した光ディスクレコーダの概略構成を示す。図９Ｂにおいて、図７Ａの光情報装置１５０と、画像情報を光情報装置によって光ディスクへ記録する情報に変換する画像から情報への変換装置（例えばエンコーダ１９２）を有する光ディスクレコーダを構成する。望ましくは、前記光情報装置から得られる情報信号を画像に変換する情報から画像への変換装置（デコーダ１９１）も搭載することにより、既に記録した部分を再生することも可能となる。情報を表示するブラウン管や液晶表示装置などの出力装置１９３を備えてもよい。【００７８】
なお、上述した図７Ａの光情報装置１５０を用いた機器において、出力装置を図示しているが、これらの装置に出力端子を搭載して、出力装置を別構成とする商品形態があり得ることはいうまでもない。また、上記各装置には入力装置は図示していないが、キーボードやタッチパネル、マウス、リモートコントロール装置など入力装置も具備した商品形態も可能であり、また、入力装置は別構成として、入力端子のみを搭載することも可能である。【００７９】
なお、本発明は上記実施形態に限定されるものではなく、その他種々の態様で実施できる。【００８０】
なお、上記様々な実施形態のうちの任意の実施形態を適宜組み合わせることにより、それぞれの有する効果を奏するようにすることができる。
【産業上の利用可能性】
【００８１】
本発明にかかる光ヘッド装置は基材厚や対応波長、記録密度などの異なる複数種類の光ディスクに対して記録再生が可能であり、さらに、この光ヘッド装置を用いた光情報装置は、ＣＤ、ＤＶＤ、ＢＤなど多くの規格の光ディスクを扱うことができる。従って、コンピュータ、光ディスクプレーヤ、光ディスクレコーダ、カーナビゲーションシステム、編集システム、光ディスクサーバ、ＡＶコンポーネントなど、情報を記録、再生するあらゆるシステムに応用展開可能である。【００８２】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【図１】
2007099947.tif 000003
【図２】
2007099947.tif 000004
【図３】
2007099947.tif 000005
【図４】
2007099947.tif 000006
【図５Ａ】
2007099947.tif 000007
【図５Ｂ】
2007099947.tif 000008
【図５Ｃ】
2007099947.tif 000009
【図５Ｄ】
2007099947.tif 000010
【図６】
2007099947.tif 000011
【図７Ａ】
2007099947.tif 000012
【図７Ｂ】
2007099947.tif 000013
【図７Ｃ】
2007099947.tif 000014
【図８】
2007099947.tif 000015
【図９Ａ】
2007099947.tif 000016
【図９Ｂ】
2007099947.tif 000017
【図１０】
2007099947.tif 000018
【図１１】
2007099947.tif 000019
【図１２】
2007099947.tif 000020
【手続補正書】
【提出日】平成19年10月9日(2007.10.9)
【手続補正１】
【補正対象書類名】特許請求の範囲
【補正対象項目名】全文
【補正方法】変更
【補正の内容】
【特許請求の範囲】
【請求項１】
前記光源から出射した前記光の発散度を変更するコリメートレンズと、前記コリメートレンズによって発散度を変更された前記光源から出射された光の方向を折り曲げる折り曲げミラーと、
前記折り曲げミラーで折り曲げられた前記光を、光ディスク記録面上に収束させる対物レンズと、
前記対物レンズによって前記光ディスクの記録面へ収束されさらに前記光ディスクの記録面反射された光を受光して電気信号に変換する光検出器と、
前記折り曲げミラーと前記対物レンズとの間に設けられ前記折り曲げミラーで反射された光を偏光する波長板と、
前記波長板を透過した光の偏光に応じて、前記光源から出射された光を前記コリメートレンズに導く一方、前記光ディスクの記録面で反射された光を前記光検出器へ導く光路調整部とを備え、
前記光源と前記コリメートレンズと前記折り曲げミラーと前記光検出器を保持する光学基台と、
前記光学基台に隣接して設けられ、前記折り曲げミラーで反射された光が透過する開口を覆うように前記波長板を保持するアクチュエータベースと、
前記アクチュエータベースに対して前記対物レンズの光軸方向及び前記光ディスクのトラック方向に移動可能に支持され、前記折り曲げミラーで反射された光を前記対物レンズに到達させるような位置に前記対物レンズを保持するサスペンションユニットを有する光ヘッド装置。
【請求項２】
前記光路調整部は、前記光源と前記コリメートレンズとの間に設けられ前記光源から出射した光を偏光させる偏光ビームスプリッタで構成され、
前記波長板は、前記折り曲げミラーで反射された光を円偏光に偏光するλ／４板で構成される、請求項１に記載の光ヘッド装置。
【請求項３】
前記アクチュエータベースは、前記光学基台側に突出して設けられかつ前記波長板を固定する固定部を有する、請求項１に記載の光ヘッド装置。
【請求項４】
前記固定部は、前記波長板を前記アクチュエータベースに対して１から１０度の角度で傾斜するように固定する、請求項３に記載の光ヘッド装置。
【請求項５】
前記固定部は、前記アクチュエータベースに一体的に構成され前記開口の縁部から延在して設けられた複数の鉤爪状部材で構成され、
前記それぞれの鉤状部材が、前記波長板を載置する載置部を備え、前記波長板の周囲を複数箇所で把持することによって前記波長板を固定する、請求項３に記載の光ヘッド装置。
【請求項６】
前記サスペンションユニットは、前記アクチュエータベースに固定されるサスホルダーと、前記対物レンズを保持し、前記サスホルダーから延在するサスペンションワイヤーによって支持されると共に、前記サスペンションワイヤーを介して供給される信号によって駆動する可動体を備える、請求項１に記載の光ヘッド装置。
【請求項７】
前記光源は、青色の波長領域において発光する半導体レーザである、請求項１に記載の光ヘッド装置。
【請求項８】
請求項１から７の記載のいずれか１つに記載の光ヘッド装置と、
光ディスクを回転するモータと、前記光ヘッド装置から得られる信号を受け、前記信号に基づいて前記モータ及び前記光ヘッド装置を制御および駆動する電気回路を具備する光情報装置。
【請求項９】
請求項８記載の光情報装置と、
情報を入力するための入力装置と、
前記入力装置から入力された情報や前記光情報装置から再生された情報に基づいて演算を行う演算装置と、
前記光情報装置で再生された情報や前記演算装置によって演算された結果を表示あるいは出力するための出力装置を備えたコンピュータ。
【請求項１０】
請求項８記載の光情報装置と、
前記光情報装置から得られる情報信号を画像に変換する情報から画像へのデコーダを有する光ディスクプレーヤ。
【請求項１１】
請求項８記載の光情報装置と、
前記光情報装置から得られる情報信号を画像に変換する情報から画像へのデコーダを有するカーナビゲーションシステム。
【請求項１２】
請求項８記載の光情報装置と、
画像情報を前記光情報装置によって記録する情報に変換する画像から情報へのエンコーダーを有する光ディスクレコーダ。
【請求項１３】
請求項８記載の光情報装置と、
外部との情報の送受信を行う入出力端子を備えた光ディスクサーバ。
【手続補正書】
【提出日】平成20年8月20日(2008.8.20)
【手続補正１】
【補正対象書類名】特許請求の範囲
【補正対象項目名】全文
【補正方法】変更
【補正の内容】
【特許請求の範囲】
【請求項１】
所定の波長の光を出射する光源と、
前記光源から出射した前記光の発散度を変更するコリメートレンズと、
前記コリメートレンズによって発散度を変更された前記光源から出射された光の方向を折り曲げる折り曲げミラーと、
前記折り曲げミラーで折り曲げられた前記光を、光ディスク記録面上に収束させる対物レンズと、
前記対物レンズによって前記光ディスクの記録面へ収束されさらに前記光ディスクの記録面反射された光を受光して電気信号に変換する光検出器と、
前記折り曲げミラーと前記対物レンズとの間に設けられ前記折り曲げミラーで反射された光を偏光する波長板と、
前記波長板を透過した光の偏光に応じて、前記光源から出射された光を前記コリメートレンズに導く一方、前記光ディスクの記録面で反射された光を前記光検出器へ導く光路調整部とを備え、
前記光源と前記コリメートレンズと前記折り曲げミラーと前記光検出器を保持する光学基台と、
前記光学基台に隣接して設けられ、前記折り曲げミラーで反射された光が透過する開口を覆うように前記波長板を保持するアクチュエータベースと、
前記アクチュエータベースに対して前記対物レンズの光軸方向及び前記光ディスクのトラック方向に移動可能に支持され、前記折り曲げミラーで反射された光を前記対物レンズに到達させるような位置に前記対物レンズを保持するサスペンションユニットを有する光ヘッド装置。
【請求項２】
前記光路調整部は、前記光源と前記コリメートレンズとの間に設けられ前記光源から出射した光を偏光させる偏光ビームスプリッタで構成され、
前記波長板は、前記折り曲げミラーで反射された光を円偏光に偏光するλ／４板で構成される、請求項１に記載の光ヘッド装置。
【請求項３】
前記アクチュエータベースは、前記光学基台側に突出して設けられかつ前記波長板を固定する固定部を有する、請求項１に記載の光ヘッド装置。
【請求項４】
前記固定部は、前記波長板を前記アクチュエータベースに対して１から１０度の角度で傾斜するように固定する、請求項３に記載の光ヘッド装置。
【請求項５】
前記固定部は、前記アクチュエータベースに一体的に構成され前記開口の縁部から延在して設けられた複数の鉤爪状部材で構成され、
前記それぞれの鉤状部材が、前記波長板を載置する載置部を備え、前記波長板の周囲を複数箇所で把持することによって前記波長板を固定する、請求項３に記載の光ヘッド装置。
【請求項６】
前記サスペンションユニットは、前記アクチュエータベースに固定されるサスホルダーと、前記対物レンズを保持し、前記サスホルダーから延在するサスペンションワイヤーによって支持されると共に、前記サスペンションワイヤーを介して供給される信号によって駆動する可動体を備える、請求項１に記載の光ヘッド装置。
【請求項７】
前記光源は、青色の波長領域において発光する半導体レーザである、請求項１に記載の光ヘッド装置。
【請求項８】
請求項１から７の記載のいずれか１つに記載の光ヘッド装置と、
光ディスクを回転するモータと、前記光ヘッド装置から得られる信号を受け、前記信号に基づいて前記モータ及び前記光ヘッド装置を制御および駆動する電気回路を具備する光情報装置。
【請求項９】
請求項８記載の光情報装置と、
情報を入力するための入力装置と、
前記入力装置から入力された情報や前記光情報装置から再生された情報に基づいて演算を行う演算装置と、
前記光情報装置で再生された情報や前記演算装置によって演算された結果を表示あるいは出力するための出力装置を備えたコンピュータ。
【請求項１０】
請求項８記載の光情報装置と、
前記光情報装置から得られる情報信号を画像に変換する情報から画像へのデコーダを有する光ディスクプレーヤ。
【請求項１１】
請求項８記載の光情報装置と、
前記光情報装置から得られる情報信号を画像に変換する情報から画像へのデコーダを有するカーナビゲーションシステム。
【請求項１２】
請求項８記載の光情報装置と、
画像情報を前記光情報装置によって記録する情報に変換する画像から情報へのエンコーダを有する光ディスクレコーダ。
【請求項１３】
請求項８記載の光情報装置と、
外部との情報の送受信を行う入出力端子を備えた光ディスクサーバ。
【手続補正２】
【補正対象書類名】明細書
【補正対象項目名】全文
【補正方法】変更
【補正の内容】
【発明の詳細な説明】
【技術分野】
【０００１】
光ディスクに代表される情報記録媒体から情報を再生し、または情報記録媒体に情報を記録する光情報装置および光情報装置において情報を再生または記録する光ヘッド装置および当該光ヘッド装置を用いた光情報装置並びに、光情報装置を用いた光ディスクプレーヤ、カーナビゲーションシステム、光ディスクレコーダ及び光ディスクサーバに関する。
【背景技術】
【０００２】
デジタルバーサタイルディスク（ＤＶＤ）は、デジタル情報をコンパクトディスク（ＣＤ)の約６倍の記録密度で記録することができることから、大容量のデータを記録可能な光ディスクとして知られている。近年、記録される情報量の増大に伴い、さらに容量の大きい光ディスクが求められている。光ディスクを大容量にするためには、情報の記録密度を高くする必要があり、当該高密度ディスクに情報を記録する際および光ディスクに記録された情報を再生する際に光ディスクに照射される光が形成する光スポットを小さくする必要がある。光スポットを小さくすることは、光源のレーザ光を短波長にし、かつ、対物レンズの開口数（ＮＡ）を大きくすることで実現できる。現在、ＤＶＤでは、波長６６０ｎｍの光源と、開口数（ＮＡ）０．６の対物レンズとが使用されているが、例えば、波長４０５ｎｍの青色レーザと、ＮＡ０．８５の対物レンズとを使用することによって、現在のＤＶＤの記録密度の５倍の記録密度を達成することができる。
【０００３】
ところで、青色レーザによる短波長のレーザを用いて高密度の記録再生を実現する光情報装置において、既存の光ディスクとの互換機能を備えることはさらに装置としての有用性を高め、コストパフォーマンスの向上につながる。この場合、対物レンズの開口数を０．８５と高めつつ、作動距離をＤＶＤやＣＤ用の対物レンズのように長くすることは困難であるため、高密度の記録再生が可能な互換型光情報装置では、ＣＤまたはＤＶＤを記録再生するのに使われる対物レンズとこれより高開口数を有する高密度記録用の対物レンズとの２枚の対物レンズをそれぞれ備えることが望ましい。
【０００４】
一般に、光情報装置用の対物レンズアクチュエータは、フォーカシング及びトラッキングの両方向に駆動させることが必要であり、このための回路が設けられている。この回路は、フォーカス方向には光ディスクと対物レンズとの間の間隔を一定の間隔に維持すると共に、トラッキング方向には対物レンズを所望のトラック位置に移動させる役割を果たす。ところが、前述の通り、記録密度が相異なる複数の光ディスクを互換採用する光情報装置では、相異なる記録密度を有する複数の光ディスクに各々対応する対物レンズを必要とするため、対物レンズアクチュエータは、複数の対物レンズを可動部に搭載してフォーカシング及びトラッキング方向に移動可能に構成されなければならない。
【０００５】
記録密度が相異なる複数の光ディスクに対して記録再生が可能な互換型光情報装置を実現するために複数の対物レンズをそれぞれ可動部に搭載した光ヘッド装置が、特開２００２−２０８１７３号公報に開示されている。
【０００６】
図１０は特開２００２−２０８１７３号公報に開示された光ヘッド装置の光学系の概略構成を示す図である。この光ヘッド装置では、第１の光源（図示せず）から放射された光ビーム６１は、コリメートレンズ６２によって略平行光に変換され、平板状の立ち上げミラー６３によって光軸を記録密度の高い光ディスク６５に対して直角の方向に折り曲げられる。対物レンズ６４は、光ビーム６１を光ディスク６５の記録面上に収束させる。また、第２の光源（図示せず）から放射された光ビーム６６は、コリメートレンズ６７によって略平行光に変換され、平板状の立ち上げミラー６８によって光軸を記録密度の低い光ディスク７０に対して直角の方向に折り曲げられる。対物レンズ７０は光ビーム６６を光ディスク７０の記録面上に収束させる。
【０００７】
対物レンズ駆動装置（対物レンズアクチュエータ）７１は、第１の対物レンズ６４を保持するとともに、記録密度の高い光ディスク６５の記録面と直交するフォーカシング方向Ｆおよび光ディスクのトラッキング方向Ｔの両方向に移動可能に構成されている。また、対物レンズ駆動装置（対物レンズアクチュエータ）７２は、第２の対物レンズ６９を保持するとともに、記録密度の低い光ディスク６５の記録面と直交するフォーカシング方向Ｆおよび光ディスクのトラッキング方向Ｔの両方向に移動可能に構成されている。
【０００８】
また、単一の対物レンズアクチュエータ上に２個の対物レンズを搭載し、２つの対物レンズを同時に移動させる構成が特開平１１−１２０５８７号公報や特開２００５−２９３６８６号公報に開示されている。
【０００９】
この装置は、図１１に示すように、ＣＤ，ＤＶＤ用光学系と、高密度光ディスク用光学系を有している。ＣＤ，ＤＶＤ用光学系は、ＤＶＤに対して情報の記録／再生を行う場合に発光され６５８ｎｍのレーザ光束（第２光束）を射出する赤色半導体レーザ（第２光源）と光検出器とが一体化されたＤＶＤ用モジュール８５、ＣＤに対して情報の記録／再生を行う場合に発光され７８５ｎｍのレーザ光束（第３光束）を射出する赤外半導体レーザ（第３光源）と光検出器とが一体化されたＣＤ用モジュール８３を備える。これらのモジュール８３、８５から出射された光は、それぞれＤＶＤ用コリメートレンズ８６、ＣＤ用コリメートレンズ８４を通して偏光ビームスプリッタ８９、８７で光路が曲げられ、立ち上げミラー８８に到達する。そして、ＤＶＤ／ＣＤ共用の第２対物レンズ８１から光を光ディスク（図示なし）に送る。当該光ディスクの記録面で反射した光は、同じ光路を通ってＤＶＤ用モジュール８５やＣＤ用モジュール８３に到達する。
【００１０】
一方、高密度光ディスク用光学系では、青紫色半導体レーザ７３（第１光源）は高密度光ディスクに対して情報の記録／再生を行う４０５ｎｍのレーザ光束（第１光束）を射出する。当該レーザ光束（第１光束）は、高密度光ディスク用コリメートレンズ７４、高密度光ディスク用偏光ビームスプリッタ７５によって光路が曲げられて立ち上げミラー８８に到達する。そして、高密度光ディスク用の第１対物レンズ８０から光を光ディスク（図示なし）に送る。当該光ディスクの記録面で反射した光は偏光ビームスプリッタ７５を透過して高密度光ディスク用の光検出器７６に到達させる。
【００１１】
また、上記２つの対物レンズ８０，８１を保持する保持部材７９はワイヤー８２で保持されており、記録面と直交するフォーカシング方向Ｆおよび光ディスクのトラッキング方向Ｔの両方向に移動可能に構成されている。
【特許文献１】特開２００２−２０８１７３号公報
【特許文献２】特開平１１−１２０５８７号公報
【特許文献３】特開２００５−２９３６８６号公報
【発明の開示】
【発明が解決しようとする課題】
【００１２】
しかし、このように単一の光ヘッド装置に複数の光源と対物レンズを備えた構成においては、数多くの部材を小さな装置内に組み込む必要があり、いかにコンパクトに各部材を配置するかが重要である。また、特に、次世代の高密度光ディスクにおいては、記録層が３層、４層に構成される可能性もあり、当該多層構造の光ディスクを高精度に読み取るためには、広範囲に球面収差補正、コマ収差補正を行うようにすることが求められる。したがって、コリメートレンズの補正幅を大きくすることが望ましい。
【００１３】
しかし、上記構成においては、コリメートレンズを光源と変更ビームスプリッタの間に搭載しているため搭載スペースが小さく、コリメートレンズの移動幅が制限されていた。また、一方、コリメートレンズの移動幅を大きく確保しようとすると光ヘッド装置自体の大型化を招くという問題があった。
【００１４】
また、高密度光ディスク用光学系においては、光源と光検出器７６とがユニット化されずに、異なる位置に配置されているため、光源から出射された往路光と、光ディスクの記録面で反射された復路光とで光路を異ならせる必要がある。このため、図１２に示すように、立ち上げミラー８８とコリメートレンズ７４との間に、波長板７７を挿入する構成がとられている。そして、この構成では、波長板７７のために、コリメートレンズ７４の収納スペースがさらに小さくなり、コリメートレンズ７４の移動幅はさらに制限されることとなる。
【００１５】
したがって、本発明が解決しようとする技術的課題は、上記問題を解消すべく、コリメートレンズの移動幅を大きくして球面収差補正を高精度に行うことができる小型の光ヘッド装置及び光情報装置並びに光情報装置を用いた光ディスクプレーヤ、カーナビゲーションシステム、光ディスクレコーダ及び光ディスクサーバを提供することである。
【００１６】
本発明は、上記技術的課題を解決するために、以下の構成の光ヘッド装置を提供する。
【課題を解決するための手段】
【００１７】
本発明は、上記目的を達成するため、以下のように構成している。本発明の第１態様によれば、所定の波長の光を出射する光源と、
前記光源から出射した前記光の発散度を変更するコリメートレンズと、
前記コリメートレンズによって発散度を変更された前記光源から出射された光の方向を折り曲げる折り曲げミラーと、
前記折り曲げミラーで折り曲げられた前記光を、光ディスク記録面上に収束させる対物レンズと、
前記対物レンズによって前記光ディスクの記録面へ収束されさらに前記光ディスクの記録面反射された光を受光して電気信号に変換する光検出器と、
前記折り曲げミラーと前記対物レンズとの間に設けられ前記折り曲げミラーで反射された光を偏光する波長板と、
前記波長板を透過した光の偏光に応じて、前記光源から出射された光を前記コリメートレンズに導く一方、前記光ディスクの記録面で反射された光を前記光検出器へ導く光路調整部とを備え、
前記光源と前記コリメートレンズと前記折り曲げミラーと前記光検出器を保持する光学基台と、
前記光学基台に隣接して設けられ、前記折り曲げミラーで反射された光が透過する開口を覆うように前記波長板を保持するアクチュエータベースと、
前記アクチュエータベースに対して前記対物レンズの光軸方向及び前記光ディスクのトラック方向に移動可能に支持され、前記折り曲げミラーで反射された光を前記対物レンズに到達させるような位置に前記対物レンズを保持するサスペンションユニットを有する光ヘッド装置を提供する。
【００１８】
本発明の第２態様によれば、前記光路調整部は、前記光源と前記コリメートレンズとの間に設けられ前記光源から出射した光を偏光させる偏光ビームスプリッタで構成され、
前記波長板は、前記折り曲げミラーで反射された光を円偏光に偏光するλ／４板で構成される、第１態様の光ヘッド装置を提供する。
【００１９】
本発明の第３態様によれば、前記アクチュエータベースは、前記光学基台側に突出して設けられ、前記波長板を固定する固定部を有する、第１態様の光ヘッド装置を提供する。
【００２０】
本発明の第４態様によれば、前記固定部は、前記波長板を前記アクチュエータベースに対して１から１０度の角度で傾斜するように固定する、第３態様の光ヘッド装置を提供する。
【００２１】
本発明の第５態様によれば、前記サスペンションユニットは、前記アクチュエータベースに固定されるサスホルダーと、前記対物レンズを保持し、前記サスホルダーから延在するサスペンションワイヤーによって支持されると共に、前記サスペンションワイヤーを介して供給される信号によって駆動する可動体を備える、第１態様の光ヘッド装置を提供する。
【００２２】
本発明の第６態様によれば、前記光源は、青色の波長領域において発光する半導体レーザである、第１態様の光ヘッド装置を提供する。
【００２３】
本発明の第７態様によれば、第１から第６態様のいずれか１つの光ヘッド装置と、
光ディスクを回転するモータと、前記光ヘッド装置から得られる信号を受け、前記信号に基づいて前記モータ及び前記光ヘッド装置を制御および駆動する電気回路を具備する光情報装置を提供する。
【００２４】
本発明の第８態様によれば、第７態様の光情報装置と、
情報を入力するための入力装置と、
前記入力装置から入力された情報や前記光情報装置から再生された情報に基づいて演算を行う演算装置と、
前記光情報装置で再生された情報や前記演算装置によって演算された結果を表示あるいは出力するための出力装置を備えたコンピュータを提供する。
【００２５】
本発明の第９態様によれば、第７態様の光情報装置と、
前記光情報装置から得られる情報信号を画像に変換する情報から画像へのデコーダを有する光ディスクプレーヤを提供する。
【００２６】
本発明の第１０態様によれば、第７態様の光情報装置と、
前記光情報装置から得られる情報信号を画像に変換する情報から画像へのデコーダを有するカーナビゲーションシステムを提供する。
【００２７】
本発明の第１１態様によれば、第７態様の光情報装置と、
画像情報を前記光情報装置によって記録する情報に変換する画像から情報へのエンコーダを有する光ディスクレコーダを提供する。
【００２８】
本発明の第１２態様によれば、第７態様の光情報装置と、
外部との情報の送受信を行う入出力端子を備えた光ディスクサーバを提供する。
【発明の効果】
【００２９】
本発明の第１態様によれば、波長板を折り曲げミラーと対物レンズとの間に配置することにより、光路調整部から折り曲げミラーの間に他の部材が存在しなくなるため、コリメートレンズの移動幅を最大で折り曲げミラーと対物レンズとの間隔全域にわたって広げることができる。したがって、光ヘッド装置の構成を大きくすることなく球面収差補正を高精度に行うようにすることができる。
【００３０】
また、波長板をアクチュエータベースに保持させることにより光学基台を小さくすることができる。また、可動体に波長板が設けられていないため波長板が固定されており、可動体の動きによって波長板が光ビームに影響を及ぼすことがない。
【００３１】
本発明の第２態様によれば、光源から出射された光を確実に光ディスクに到達させることができるとともに、光ディスクの記録面で反射された光を簡単な構成で光検出器に導くことができる。
【００３２】
本発明の第３態様によれば、可動体を光ディスクの記録面と直交するフォーカシング方向へ移動させる場合に、波長板が可動体の動き幅に影響を及ぼすことがなく、可動体の移動幅を大きく確保することができる。
【００３３】
本発明の第４態様によれば、波長板の表面で折り曲げミラーで反射された光の一部が反射され、光源から出射した光と同じ光路を通るために、情報の読み取りに影響を及ぼす可能性がある。したがって、波長板を傾けることでこの問題を防止することができる。また、傾きが１０度以上になると、対物レンズと折り曲げミラーとの間の間隔を長くすることが必要となる。また、１度より小さくなると対物レンズのスキュー調整時にアクチュエータベースを光学基台に固定する場合の傾きの範囲内になる。その結果、波長板が光路と直交して配置される可能性がある。
【００３４】
本発明の第５態様によれば、可動体をサスペンションワイヤーによって支持することとしているため、当該サスペンションワイヤーを介して、可動体を駆動させるための信号を供給することができ、可動体の移動制御と支持とに必要な部材を共有化することができる。
【００３５】
本発明の第６態様によれば、青色のレーザ光を用いて情報の読み書きを行う次世代の光ディスクに用いられるヘッド装置として好適に用いられる。この光ディスクは、光スポットがより小さく高密度に形成されるとともに記録面を複数層備える。よって、当該光ディスクに用いた場合であっても、コリメートレンズの移動幅を大きくすることができ、球面収差をより広い範囲で補正することができる。
【００３６】
また、第７態様の光情報装置は、コンピュータ、光ディスクプレーヤ、カーナビゲーションシステム、光ディスクレコーダ、光ディスクサーバなどの種々の装置に好適に用いることができる。
【発明を実施するための最良の形態】
【００３７】
本発明の記述を続ける前に、添付図面において同じ部品については同じ参照符号を付している。以下、本発明の一実施形態に係る光ヘッド装置について、図面を参照しながら説明する。まず光ヘッド装置の構成を図１及び図２を用いて説明する。
【００３８】
まず、光ヘッド装置の構成を説明する前に、本光ヘッド装置における座標軸の定義を明確にする。Ｔ軸は、対物レンズの光軸に対して垂直であり、かつ、光ディスクのトラック溝延伸方向に対して略垂直な方向であり、光ディスクの内周、外周を記録再生する際に光ヘッド装置を動かす方向（トラッキング方向）である。Ｆ軸は、対物レンズの光軸方向すなわちフォーカシング方向である。また、Ｙ軸はＴ軸に垂直な方向であり、また、対物レンズの位置において、光ディスクのトラック溝延伸方向に対して略平行な方向である。
【００３９】
図１は、本発明の実施の形態にかかる光ピックアップの外観構成を示す斜視図、図２は図１の光ピックアップの分解斜視図である。光ヘッド装置１００は、光学基台１０１と、光学基台１０１の図示上方に固着される対物レンズアクチュエータ１０２を備える。光学基台１０１は、Ｙ軸方向両端に位置する係合部１１１によって、１組のガイドレール１１０に係合しており、ガイドレール１１０に沿ってトラッキング方向に移動可能に構成されている。
【００４０】
図３は、図１の光ヘッド装置の光学系の構成を模式的に示す概略図である。図４は図１の光ヘッド装置に用いられる光学基台の内部構成を示す図である。光ヘッド装置の光学系を構成する各部材は、光学基台１０１及び対物レンズアクチュエータ１０２に搭載される。
【００４１】
本実施形態にかかる光ヘッド装置１００は、第１光学系１２０と第２光学系１４０とを備える。第１光学系１２０は、Ｂｌｕ−ｒａｙディスクやＨＤ−ＤＶＤなどの次世代光ディスク２００の読み書きを行うための光学系であり、第２光学系１４０は、ＤＶＤ２０１，ＣＤ２０２の読み書きを行うための光学系である。
【００４２】
まず、第１の光学系１２０について説明する。第１の光学系１２０においては、第１の光源１２１は、例えば、波長４０５ｎｍの光ビーム１２９を発する。第１の光源１２１から射出された光ビーム１２９は、偏光ビームスプリッタ１２２で光路が曲げられてコリメートレンズ１２３に到達する。偏光ビームスプリッタ１２２を透過した光ビーム１２９は直線偏光であり、コリメートレンズ１２３によって発散度が変換される。当該光ビームは、折り曲げミラーの一例としての断面が略３角形の立ち上げプリズム１２４の第１斜面１２４ａによって光軸を記録密度の高い光ディスク２００に対して直角の方向に折り曲げられる。立ち上げプリズム１２４で折り曲げられた光ビームは、波長板の一例であるλ／４波長板１２５を通過することで円偏光になる。その後、対物レンズ１２６で光ビーム１２９を光ディスク２００の記録面上に収束させ、光スポットを形成する。
【００４３】
光ディスク２００に到達した第１の光ビームは、記録層の状態に応じた反射率で光ディスク２００の記録層において反射される。光ディスク２００の記録層で反射した第１の光ビームは、再度対物レンズ１２６を透過し、λ／４波長板１２５へ到達する。λ／４波長板１２５へ到達した光ビームは、λ／４波長板１２５を通過する際に往路（すなわち、コリメートレンズ１２３から立ち上げプリズム１２４に出射される光ビームの直線偏光）と直交する直線偏光に変換される。その後、コリメートレンズ１２３を透過し、立ち上げプリズム１２４の第１反射面１２４ａで偏光ビームスプリッタ１２２へと反射される。この光ビームは、往路の光ビームと比較して変更方向が異なっているため、偏光ビームスプリッタ１２２で反射され、光検出器１２７に入射する。光検出器１２７において、光検出器１２７によって光電変換され、情報信号、サーボ信号（焦点制御のためのフォーカスエラー信号や、トラッキング制御のためのトラッキング信号）を得るための電気信号が取り出される。
【００４４】
第１光学系１２０に用いられる対物レンズ１２６はＮＡ０．８５またはより大きな開口数である。開口数が大きいので、光ディスク２００に対して記録あるいは再生を行う場合、光ディスクに光が入射する面から情報記録面までを満たす透明基材の厚みに対して球面収差が顕著に発生する。本実施形態ではコリメートレンズ１２３をコリメートレンズ１２３の光軸方向へ移動することによりコリメートレンズ１２３から対物レンズ１２６へと向かう光の発散収束度を変化させる。対物レンズ１２６に入射する光の発散収束度が変化すると球面収差が変化するのでこれを利用して基材厚差に起因する球面収差を補正する。光学基台１０１は、コリメートレンズ１２３をコリメートレンズ１２３の光軸方向へ移動するための機構として駆動モータ１２８を有する駆動装置を備える。駆動モータ１２８は、具体的にはステッピングモータやブラシレスモータなどを用いることができる。図４に示すように、コリメートレンズ１２３を保持するホルダ１２３ａと、駆動モータ１２８の駆動力をホルダ１２３ａへ伝える駆動機構１２３ｂが光学基台１０１に設けられている。コリメートレンズ１２３を保持するホルダ１２３ａは、コリメートレンズの光軸方向に延在する２本の案内軸１１５によって支持されており、当該案内軸１１５に沿ってコリメートレンズが移動する。案内軸１１５に沿って移動する際にがたつきを少なくするため、ホルダ１２３ａはスプリングによって付勢された状態で案内軸１１５に支持される。なお、部品点数の削減を図るため、レンズホルダ１２３ａをコリメートレンズ１２３と一体成型により構成してもよい。
【００４５】
なお、コリメートレンズ１２３の変形例としては、凹レンズ及び凸レンズを備えた２枚のレンズを組み合わせてもよい。なお、球面収差を補正するためにコリメートレンズ１２３をその光軸方向に動かす際には、コリメートレンズ１２３を２枚のレンズで構成する場合は、２枚のうちの１枚だけを移動するように構成されていてもよい。
【００４６】
次に第２の光学系１４０について説明する。第２の光学系１４０においては、第２の光源（例えば赤色光源）として第２レーザーユニット１４１が用いられている。第２レーザーユニット１４１は、レーザ光を発光する光源とレーザ光の検出をする光検出器とが一体的に構成された部材である。第２レーザーユニット１４１から放射された光ビーム１４８はハーフミラー１４５に到達する。光ビーム１４８はハーフミラー１４５によって折り曲げられ、コリメートレンズ１４３によって平行度が変換（例えば略平行光へ）され、立ち上げプリズム１２４へ導かれる。立ち上げプリズム１２４は、第２斜面１２４ｂによって光軸を記録密度の低い光ディスク２０１（例えばＤＶＤ）に対して直角の方向に折り曲げる。対物レンズ１４４は光ビーム１４８を光ディスク２０１の記録面上に収束させ、光スポットを形成する。記録層の状態に応じた反射率で光ディスク２０１の記録面で反射された光ビームは、元の光路を逆にたどり、光検出器である第２レーザーユニット１４１に到達する。光ビーム１４８は第２レーザーユニット１４１によって光電変換され、情報信号、サーボ信号（焦点制御のためのフォーカスエラー信号や、トラッキング制御のためのトラッキング信号）を得るための電気信号を得る。本実施形態においては、光源と光検出器の集積した第２レーザーユニット１４１を用いているため、光ヘッド装置の小型、薄型化を実現でき、安定性を得ることができる。
【００４７】
また、さらに上記２種の光ディスクよりも記録密度の低い第３の光ディスク２０２（例えばコンパクトディスク：ＣＤ）の再生または記録を行うためには、第３の光源（例えば赤色光源）である第３レーザーユニット１４２を備えている。第３レーザーユニット１４２は、レーザ光を発光する光源とレーザ光の検出をする光検出器とが一体的に構成された部材である。第３レーザーユニット１４２から放射された光ビーム１４９は、ハーフミラー１４５を透過し、コリメートレンズ１４３によって平行度が変換（例えば略平行光へ）され、立ち上げプリズム１２４へ導かれる。立ち上げプリズム１２４は、第１の光ビームを反射した面とは別の面によって光軸を記録密度の低い光ディスク２０２（例えばＣＤ）に対して直角の方向に折り曲げる。対物レンズ１４４は光ビーム１４８を光ディスク２０１の記録面上に収束させ、光スポットを形成する。記録層の状態に応じた反射率で光ディスク２０２の記録面で反射された光ビームは、光ビームは元の光路を逆にたどり、光検出器である第３レーザーユニット１４２に到達する。光ビーム１４９は第３レーザーユニット１４２によって光電変換され、情報信号、サーボ信号（焦点制御のためのフォーカスエラー信号や、トラッキング制御のためのトラッキング信号）を得るための電気信号を得る。本実施形態においては、光源と光検出器の集積した第３レーザーユニット１４２を用いているため、光ヘッド装置の小型、薄型化を実現でき、安定性を得ることができる。
【００４８】
上記のように第１の光学系１２０では、レーザ光を発光する光源１２１と光ディスク２００によって反射されたレーザ光を検出するための光検出器１２７が別部材で構成されているため、偏光ビームスプリッタ１２２によって往路及び復路で光路を異ならせなければならない。このためのレーザ光の光路を変更する部材としてλ／４波長板１２５が設けられており、当該λ／４波長板１２５を通過する際にレーザ光の偏光が変更することによって光路を異ならせることができる。これに対して、第２の光学系では、光ディスク２０１，２０２用にそれぞれ設けられたレーザ光を発光する光源と光ディスク２０１，２０２によって反射されたレーザ光を検出するための検出器はともにユニット化され、それぞれ第２レーザーユニット１４１及び第３レーザーユニット１４２として１つの部材で構成されている。このため往路及び復路において光路を異ならせる必要がなく、このため、往路及び復路でレーザ光の偏光を変更する必要がない。したがって、第２の光学系１４０には、λ／４波長板を設ける必要がない。
【００４９】
なお、図３，図４においては、立ち上げプリズム１２４の断面は３角形であるが、頂点（プリズム全体としてみれば稜線）を面取りして、チッピング（欠け）を防止してもよい。この場合を含め、断面は略３角形と表記する。
【００５０】
本実施形態において、第１及び第２の光学系１２０，１４０を構成する各部材のうち、対物レンズ１２６，１４４及びλ／４波長板１２５は、対物レンズアクチュエータ１０２に設けられている。一方、対物レンズ１２６，１４４及びλ／４波長板１２５を除くその他の部材は、光学基台１０１に配置されている。
【００５１】
対物レンズアクチュエータ１０２は、図５Ａ，図５Ｂ、図５Ｃ，図５Ｄ及び図６に示すように、アクチュエータベース１０とサスペンションユニット１１とを備えている。
【００５２】
アクチュエータベース１０は、立ち上げプリズム１２４によってＦ軸方向へ反射されたレーザ光が透過するための開口１２を有するベース板１３に、開口１２を挟んでＹ軸方向に対向するように平行に配置された一対のマグネット部１４を有する。マグネット部１４は、ベース板１３に立設されたマグネット支持部１５とマグネット支持部１５に対してそれぞれ開口１２側の面に配置されたマグネット１６を備えている。一対のマグネット部１４の間には、サスペンションユニット１１の可動体３０が配置され、後述するように可動体３０のコイル３２に電流が供給されることにより、サスペンションユニット１１の可動体３０の位置調整を行うことができる。
【００５３】
また、ベース板１３には、λ／４波長板１２５を保持する固定部１５ａ，１５ｂが設けられている。固定部１５ａ、１５ｂは、上記のように第１の光学系１２０にのみλ／４波長板１２５が設けられるようにベース板１３の開口１２の一部分の表面を覆うようにλ／４波長板１２５を保持する。また、固定部１５ａ，１５ｂは、λ／４波長板１２５をアクチュエータベース１０の光学基台１０１側の表面から立ち上げプリズム１２４側に突出するように保持する。
【００５４】
固定部１５ａ，１５ｂは、図５Ｃ，図５Ｄに示すように、ベース板１３の開口１２の縁部の３箇所に設けられた鉤爪形状の部材であり、λ／４波長板１２５を３方から保持する。また、固定部１５ａ，１５ｂには、λ／４波長板１２５を載置するための載置部１５１が設けられており、当該載置部１５１にλ／４波長板１２５を載置させることで、λ／４波長板１２５の取り付けの向きを固定することができる。
【００５５】
λ／４波長板１２５は、アクチュエータベース１０のベース板１３表面に対し、１度から１０度、好ましくは２度から６度の傾斜角度θを持つように固定される。本実施形態では、傾斜角度θは３度に構成されている。本実施形態においては、開口１２の縁部の３方に設けられた鉤爪形状固定部１５ａ，１５ｂを用いることにより、λ／４波長板１２５を保持する構成を採用しており、λ／４波長板１２５の角度精度を向上させることができる。
【００５６】
λ／４波長板１２５に傾斜を持たせて固定しているのは次の理由による。立ち上げプリズム１２４で反射された光の一部が、光ディスク２００に到達することなくλ／４波長板１２５の表面で反射され、光検出器１２７に到達すると、光検出器１２７での情報の読み取りに影響を及ぼす。したがって、波長板を傾けることで、λ／４波長板１２５の表面で反射された光が光検出器１２７に到達しないようにすることができ、この問題を防止することができる。また、傾きが１０度以上になると、λ／４波長板１２５を配置するための光路方向のスペースを大きくとることが必要となり、対物レンズと立ち上げプリズム１２４との間の間隔が長くなる。その結果、対物レンズアクチュエータ１０２がＦ軸方向に大きくなる。一方、１度より小さくなると対物レンズ１２６，１４４のスキュー調整時に対物レンズアクチュエータ１０２を光学基台１０１に固定する場合の傾きの範囲内になる。その結果、波長板１２５が光路と直交する方向に配置される可能性があり、この場合に上記の問題を生じる可能性がある。
【００５７】
本実施形態においては、λ／４波長板１２５が対物レンズアクチュエータ１０２に設けられており、偏光ビームスプリッタ１２２と立ち上げプリズム１２４の間に設けられていないため、偏光ビームスプリッタ１２２と立ち上げプリズム１２４の間間隔の領域全てをコリメートレンズ１２３の移動領域として用いることができる。したがって、光ピックアップ装置自体を大型化することなくコリメートレンズ１２３の移動幅を大きくすることができ、結果として、球面収差の補正幅を大きくすることができる。
【００５８】
サスペンションユニット１１は、アクチュエータベース１０に対して移動可能に構成された可動体３０と、当該可動体を移動可能に支持するサスホルダー２０を有する。可動体３０は、サスホルダー２０から延在する６本のサスペンションワイヤー２２によって支持されており、サスホルダー２０に対して６本のサスペンションワイヤー２２が撓む方向、すなわち、６本のサスペンションワイヤー２２の延在方向に直交する方向に移動可能である。サスペンションユニット１１は、可動体３０がマグネット１６の間に位置し、サスホルダー２０がマグネット部１４に対して外側に位置するようにアクチュエータベース１０に組み付けられる。
【００５９】
可動体３０は、Ｆ方向に延在する２つの鏡胴３３ａ，３３ｂを備える。サスペンションユニット１１がアクチュエータベース１０に組み付けられたとき、可動部３０の鏡胴３３ａは、波長板１２５の上方に位置する。第１の光学系１２０の鏡胴３３ａには対物レンズ１２６が、第２の光学系１４０の鏡胴３３ｂには対物レンズ１４４がそれぞれ設けられている。また、第２の光学系１４０の鏡胴３３ｂ内には、ホログラム素子３４が設けられており、第２の光学系１４０の光ディスクに反射したレーザ光の一部を回折することによって分割し、フォーカスエラー信号またはトラッキングエラー信号を生成する。
【００６０】
なお、第２の光学系１４０用の対物レンズ１４４は、図５Ｂに示すように対物レンズホルダ３５に固定された状態で可動体３０に固定されている。対物レンズホルダ３５は、鏡胴３３ｂ側の面がテーパー状に構成されており、鏡胴３３ｂへの固定時において取り付け角度を調整することができるようになっている。なお、対物レンズ１４４と可動体３０の固定方向を調整することができるように構成されているのは、次の理由によるものである。可動体３０に２つの対物レンズ１２６，１４４を固定する場合、２つの光学系１２０，１４０でそれぞれ対物レンズ１２６，１４４の光軸方向の微調整が必要なる。このため、本実施形態においては、第１の光学系１２０用の対物レンズ１２６を基準とする一方、第２の光学系１４０用の対物レンズ１４４を微調整することで、双方の光学系の微調整をすることができる。
【００６１】
第１の光学系１２０の対物レンズ１２６と第２の光学系の対物レンズ１４４はＹ方向つまり光ディスクのトラック溝の延伸方向に略平行に並べられた状態で可動体３０に保持される。２つの対物レンズをトラック溝の延伸方向と直角方向に並べると、光ディスクの最外周や最内周へ移動したときに使っていない内側の対物レンズが光ディスク２００，２０１，２０２を回転させるスピンドルモータ１６４（図７Ａ参照）や外側のレンズが機器の外装に干渉する恐れがある。Ｙ方向に対物レンズ１２６と１４４を並べることにより、光ディスクを回転させるモータなどに光ヘッド装置がぶつかることなく異種ディスクの互換が可能である。
【００６２】
また、可動体３０には、サスペンションユニット１１がアクチュエータベース１０に組み付けられたとき、マグネット１６に対向する面に可動体３０の位置の調整を行うための３つのコイル３２が設けられている。すなわち、アクチュエータベース１０に設けられたマグネット部１４のマグネットとサスペンションユニット１１に設けられたコイル３２とが対向配置されているため、当該コイルに電流を流すことで、可動体３０を移動させることができる。
【００６３】
コイル３２に供給される電力は、サスペンションワイヤー２２を介して行われる。コイル３２は、フォーカシング方向（光ディスクの面に垂直な方向）用のコイル３２ａと、トラッキング方向（ディスクの半径方向）用のコイル３２ｂが設けられており、当該コイル３２にサスペンションワイヤー２２を介して電流を供給することでフォーカシング方向及びトラッキング方向位置の微調整を行なうことができる。
【００６４】
なお、光ビーム１２９と、光ビーム１４８あるいは光ビーム１４９が立ち上げプリズム１２４へ入射する光軸は互いに平行であることが望ましい。このように構成することによって、立ち上げプリズム１２４の２つの反射面１２４ａ，１２４ｂを対称に構成して対物レンズへの入射角度を対物レンズの光軸と平行にすることができる。立ち上げプリズム１２４の２つの反射面を対称に構成できるので、立ち上げプリズム１２４の作成がより容易になり、低コストで作成することができる。
【００６５】
次に図１の光ヘッド装置を用いた光情報装置の一例について説明する。図７Ａは、図１の光ヘッド装置を用いた光情報装置の概略構成を示す斜視図である。図７Ｂは、図７Ａの光情報装置において光ヘッド装置を駆動させる機構を示す概略図、図７Ｃは、図７Ａの光情報装置の駆動系の概略構成を示すブロック図である。
【００６６】
光情報装置１５０は、光ヘッド装置１００を図７Ａに示すように光ディスクのトラッキング方向へ移動可能に搭載される。光ヘッド装置１００は、図７Ｂに示すように、光ディスクのトラッキング方向へ延在して配置される２本のガイドレール１１０によって支持されており、また、片側のガイドレール１１０に平行に設けられたリードスクリュー１１３に連接する。リードスクリュー１１３は、モータ１１２によって軸中心に回転することができ、当該リードスクリュー１１３の回転によって光ヘッド装置１００がトラッキング方向へ移動する。
【００６７】
図７Ａ，図７Ｂ，図７Ｃにおいて光ディスク２００，２０１，２０２は、ターンテーブル１６２に載置され、モータ１６４によって回転される。図１の光ヘッド装置１００は、前記光ディスクの所望の情報の存在するトラックの位置まで粗動される。
【００６８】
光ヘッド装置１００は、また、光ディスク２００，２０１，２０２との位置関係に対応して、フォーカスエラー（焦点誤差）信号やトラッキングエラー信号を電気回路１６６へ送る。電気回路１６６はこの信号に対応して、光ヘッド装置１００へ、対物レンズ１２６，１４４を微動させるためにレンズアクチュエータを駆動させる信号を送る。この信号によって、光ヘッド装置１００は、光ディスク２００，２０１，２０２に対してフォーカス制御と、トラッキング制御を行い、光ヘッド装置１００によって、情報の読みだし、または書き込み（記録）や消去を行う。
【００６９】
光情報装置は、光ヘッド装置として、図１の光ヘッド装置を用いるので、単一の光ヘッド装置によって、記録密度の異なる複数の光ディスクに対応することができる。
【００７０】
図７Ａに記した光情報装置１５０は、種々の装置に搭載することができる。図７Ａの光情報装置を搭載したコンピュータや、光ディスクプレーヤ、光ディスクレコーダは、異なる種類の光ディスクを安定に記録あるいは再生できるので、広い用途に使用することができる。図８は、図７Ａの光情報装置を搭載したコンピュータの構成を示す概略図である。
【００７１】
図８において、図７Ａの光情報装置１５０と、情報の入力を行うためのキーボードあるいはマウス、タッチパネルなどの入力装置１７１と、入力装置１７１から入力された情報や、光情報装置１５０から読み出した情報などに基づいて演算を行う中央演算装置（ＣＰＵ）などの演算装置１７２と、前記演算装置によって演算された結果などの情報を表示するブラウン管や液晶表示装置、プリンタなどの出力装置１７３を備えたコンピュータ１７０を構成する。
【００７２】
また、コンピュータ１７０は、光情報装置１５０に記録する情報を取り込んだり、光情報装置１５０によって読み出した情報を外部に出力する有線または無線の入出力端子を搭載してもよい。これによって、ネットワーク、すなわち、複数の機器、例えば、コンピュータ、電話、テレビチューナ、などと情報を送受信し、これら複数の機器から共有の情報サーバ（光ディスクサーバ）、として利用することが可能となる。異なる種類の光ディスクを安定に記録あるいは再生できるので、広い用途に使用できる効果を有する。
【００７３】
さらに、複数の光ディスクを光情報装置１５０に出し入れするチェンジャー３３１を具備することにより、多くの情報を記録・蓄積できる効果を得ることができる。
【００７４】
また、図９Ａに図７Ａに示す光情報装置を搭載した光ディスクプレーヤの概略構成を示す。図９Ａにおいて、図７Ａの光情報装置１５０と、前記光情報装置から得られる情報信号を画像に変換する情報から画像への変換装置（例えばデコーダ１８１）を有する光ディスクプレーヤ１８０を構成する。また、本構成はカーナビゲーションシステムとしても利用できる。また、液晶モニターなどの表示装置１８２を加えた構成としてもよい。
【００７５】
図９Ｂに図７Ａに示す光情報装置を搭載した光ディスクレコーダの概略構成を示す。図９Ｂにおいて、図７Ａの光情報装置１５０と、画像情報を光情報装置によって光ディスクへ記録する情報に変換する画像から情報への変換装置（例えばエンコーダ１９２）を有する光ディスクレコーダを構成する。望ましくは、前記光情報装置から得られる情報信号を画像に変換する情報から画像への変換装置（デコーダ１９１）も搭載することにより、既に記録した部分を再生することも可能となる。情報を表示するブラウン管や液晶表示装置などの出力装置１９３を備えてもよい。
【００７６】
なお、上述した図７Ａの光情報装置１５０を用いた機器において、出力装置を図示しているが、これらの装置に出力端子を搭載して、出力装置を別構成とする商品形態があり得ることはいうまでもない。また、上記各装置には入力装置は図示していないが、キーボードやタッチパネル、マウス、リモートコントロール装置など入力装置も具備した商品形態も可能であり、また、入力装置は別構成として、入力端子のみを搭載することも可能である。
【００７７】
なお、本発明は上記実施形態に限定されるものではなく、その他種々の態様で実施できる。
【００７８】
なお、上記様々な実施形態のうちの任意の実施形態を適宜組み合わせることにより、それぞれの有する効果を奏するようにすることができる。
【産業上の利用可能性】
【００７９】
本発明にかかる光ヘッド装置は基材厚や対応波長、記録密度などの異なる複数種類の光ディスクに対して記録再生が可能であり、さらに、この光ヘッド装置を用いた光情報装置は、ＣＤ、ＤＶＤ、ＢＤなど多くの規格の光ディスクを扱うことができる。従って、コンピュータ、光ディスクプレーヤ、光ディスクレコーダ、カーナビゲーションシステム、編集システム、光ディスクサーバ、ＡＶコンポーネントなど、情報を記録、再生するあらゆるシステムに応用展開可能である。
【００８０】
本発明は、添付図面を参照しながら好ましい実施形態に関連して充分に記載されているが、この技術の熟練した人々にとっては種々の変形や修正は明白である。そのような変形や修正は、添付した請求の範囲による本発明の範囲から外れない限りにおいて、その中に含まれると理解されるべきである。
【図面の簡単な説明】
【００８１】
本発明のこれらと他の目的と特徴は、添付された図面についての好ましい実施形態に関連した次の記述から明らかになる。
【図１】図１は、本発明の実施の形態にかかる光ピックアップの外観構成を示す斜視図である。
【図２】図２は、図１の光ピックアップの分解斜視図である。
【図３】図３は、図１の光ヘッド装置の光学系の構成を模式的に示す概略図である。
【図４】図４は、図１の光ヘッド装置に用いられる光学基台の内部構成を示す図である。
【図５Ａ】図５Ａは、図１の光ヘッド装置の対物レンズアクチュエータの構成を示す平面図である。
【図５Ｂ】図５Ｂは、図５Ａの線VB-VBにおける断面図である。
【図５Ｃ】図５Ｃは、図１の光ヘッド装置の対物レンズアクチュエータの構成を示す斜視図である。
【図５Ｄ】図５Ｄは、図５Ｃのλ／４波長板１２５を外した状態の図である。
【図６】図６は、図５Ａの対物レンズアクチュエータの分解斜視図である。
【図７Ａ】図７Ａは、図１の光ヘッド装置を用いた光情報装置の概略構成を示す斜視図である。
【図７Ｂ】図７Ｂは、図７Ａの光情報装置において光ヘッド装置を駆動させる機構を示す概略図である。
【図７Ｃ】図７Ｃは、図７Ａの光情報装置の駆動系の概略構成を示すブロック図である。
【図８】図８は、図７Ａの光情報装置を搭載したコンピュータの構成を示す概略図である。
【図９Ａ】図９Ａは、図７Ａに示す光情報装置を搭載した光ディスクプレーヤの概略構成を示す図である。
【図９Ｂ】図９Ｂは、図７Ａに示す光情報装置を搭載した光ディスクレコーダの概略構成を示す図である。
【図１０】図１０は、従来の光ヘッド装置の光学系の概略構成を示す図である。
【図１１】図１１は、従来の他の例の光ヘッド装置の光学系の概略構成を示す図である。
【図１２】図１２は、図１１の光ヘッド装置の光学系の構成要素のみの概略構成を示す模式図である。
【符号の説明】
【００８２】
１０  アクチュエータベース
１１  サスペンションユニット
１２  開口
１３  ベース板
１４  マグネット部
１５  マグネット支持部
１５ａ、１５ｂ  固定部
２０  サスホルダー
２２  サスペンションワイヤー
３０  可動体
３２  コイル
３３ａ，３３ｂ  鏡胴
３４  ホログラム素子
３５  対物レンズホルダ
１００  光ヘッド装置
１０１  光学基台
１１０  ガイドレール
１１１  係合部
１２０  第１の光学系
１２１  第１の光源
１２２  偏光ビームスプリッタ
１２３  コリメートレンズ
１２４  立ち上げプリズム
１２５  λ／４波長板
１２６  対物レンズ
１２７  光検出器
１２８  駆動モータ
１２９  光ビーム
１４０  第２の光学系
１４１  第２レーザーユニット
１４２  第３レーザーユニット
１４３  コリメートレンズ
１４４  対物レンズ
１４５  ハーフミラー
１４８、１４９  光ビーム
１６４  スピンドルモータ
２００，２０１，２０２  光ディスク
【手続補正３】
【補正対象書類名】図面
【補正対象項目名】全図
【補正方法】変更
【補正の内容】
【図１】
2007099947.tif 000021
【図２】
2007099947.tif 000022
【図３】
2007099947.tif 000023
【図４】
2007099947.tif 000024
【図５Ａ】
2007099947.tif 000025
【図５Ｂ】
2007099947.tif 000026
【図５Ｃ】
2007099947.tif 000027
【図５Ｄ】
2007099947.tif 000028
【図６】
2007099947.tif 000029
【図７Ａ】
2007099947.tif 000030
【図７Ｂ】
2007099947.tif 000031
【図７Ｃ】
2007099947.tif 000032
【図８】
2007099947.tif 000033
【図９Ａ】
2007099947.tif 000034
【図９Ｂ】
2007099947.tif 000035
【図１０】
2007099947.tif 000036
【図１１】
2007099947.tif 000037
【図１２】
2007099947.tif 000038
【国際調査報告】
2007099947.tif 000039
2007099947.tif 000040
2007099947.tif 000041
2007099947.tif 000042